(57)【要約】【課題】従来の機器よりも低廉なツールを用い、カード決済処理を実行し得るシステムを提供する。【解決手段】本発明の決済処理システムによれば、チップツール３０が接続されることで携帯電話機２０が「初期登録サイト」にアクセスする。その上で携帯電話機２０に入力される「会員コード」が登録済みであることを条件に、携帯電話機２０へのパスワード入力、さらにはパスワードに基づく認証子の「初期登録」が可能となる。初期登録が済むことで携帯電話機２０が「カード決済サイト」にアクセスする。その上で携帯電話機２０に入力されたパスワードに基づき作成された認証子が、初期登録されたものと一致する場合にのみ、携帯電話機２０を通じたカード決済処理が可能となる。【選択図】  図１
2004206284.tif 000002
【特許請求の範囲】
【請求項１】
商品販売又は役務提供スタッフの携帯電話機と、携帯電話機に接続されるチップツールとを利用することで、スタッフにより需要者に対して販売された商品又は提供された役務のカード決済処理をネットワークを介して実行するシステムであって、
商品の販売スタッフ又は役務の提供スタッフに付与される会員コードを登録する第１登録手段と、
チップツールが接続された携帯電話機に、初期登録サイトへのアクセスを可能とする第１処理手段と、
該初期登録サイトにアクセスした携帯電話機から、該携帯電話機に入力された会員コードをネットワークを介して受信し、該会員コードが第１登録手段により登録されている場合にのみ、該携帯電話機へのパスワード入力を可能とする第２処理手段と、
携帯電話機に入力されたパスワード、該携帯電話機の電話番号、及びチップツールの固有番号に基づき、チップツールが接続された該携帯電話機において作成された認証子をネットワーク経由で受信した上で、該認証子を登録する第２登録手段と、
第２登録手段により登録された認証子に係る携帯電話機に、カード決済サイトへのアクセスを可能とする第３処理手段と、
該カード決済サイトにアクセスした携帯電話機から、該携帯電話機に入力されたパスワード、該携帯電話機の電話番号、及びチップツールの固有番号に基づき、チップツールが接続された該携帯電話機において作成された認証子をネットワーク経由で受信し、該認証子が第２登録手段により登録されている場合にのみ、カード情報の入力を可能とする第４処理手段と、
携帯電話機から、該携帯電話機に入力されたカード情報をネットワーク経由で受信した上で、該カード情報に従って決済処理を実行する第５処理手段とを備えていることを特徴とする決済処理システム。
【発明の詳細な説明】
【０００１】
【発明の属する技術分野】
本発明は、商品販売又は役務提供スタッフの携帯電話機と、携帯電話機に接続されるチップツールとを利用することで、スタッフにより需要者に対して販売された商品又は提供された役務のカード決済処理をネットワークを介して実行するシステムに関する。
【０００２】
【従来の技術】
化粧品等の商品の訪問販売や、荷物の運送等の役務の提供においては、スタッフが需要者のもとに赴いた上で、その需要者から直接支払を受ける場合がある。
また、近年は需要者の便宜のため、スタッフが需要者からクレジットカードを一時的に預かった上でこれを携帯機器に通すことにより、カード決済が完了するようなシステムが採用されている。
【０００３】
【発明が解決しようとする課題】
しかし、現状のカード決済用の携帯機器はメンテナンスも含めて高コストであるため、この機器を用いることは、スタッフの数を増大して商業規模を拡大することの妨げとなる場合がある。
【０００４】
そこで、本発明は、従来の機器よりも低廉なツールを用い、カード決済処理を実行し得るシステムを提供することを解決課題とする。
【０００５】
【課題を解決するための手段】
前記課題を解決するための本発明の決済処理システムは、商品の販売スタッフ又は役務の提供スタッフに付与される会員コードを登録する第１登録手段と、チップツールが接続された携帯電話機に、初期登録サイトへのアクセスを可能とする第１処理手段と、該初期登録サイトにアクセスした携帯電話機から、該携帯電話機に入力された会員コードをネットワークを介して受信し、該会員コードが第１登録手段により登録されている場合にのみ、該携帯電話機へのパスワード入力を可能とする第２処理手段と、携帯電話機に入力されたパスワード、該携帯電話機の電話番号、及びチップツールの固有番号に基づき、チップツールが接続された該携帯電話機において作成された認証子をネットワーク経由で受信した上で、該認証子を登録する第２登録手段と、第２登録手段により登録された認証子に係る携帯電話機に、カード決済サイトへのアクセスを可能とする第３処理手段と、該カード決済サイトにアクセスした携帯電話機から、該携帯電話機に入力されたパスワード、該携帯電話機の電話番号、及びチップツールの固有番号に基づき、チップツールが接続された該携帯電話機において作成された認証子をネットワーク経由で受信し、該認証子が第２登録手段により登録されている場合にのみ、カード情報の入力を可能とする第４処理手段と、携帯電話機から、該携帯電話機に入力されたカード情報をネットワーク経由で受信した上で、該カード情報に従って決済処理を実行する第５処理手段とを備えていることを特徴とする。
【０００６】
本発明によれば、予め「チップツール」及び「会員コード」が、所定組織から各スタッフに付与される。その上でまず、スタッフにより「チップツール」が携帯電話機に接続されることで、この携帯電話機が「初期登録サイト」にアクセス可能となる。
【０００７】
次にスタッフにより、初期登録サイトにアクセス状態にある携帯電話機に「会員コード」が入力されることで、この会員コードが第１登録手段により登録されている場合にのみ、スタッフによる携帯電話機への「パスワード」入力が可能となる。そして、携帯電話機の「電話番号」、チップツールの「固有番号」及びスタッフにより携帯電話機に入力された「パスワード」に基づき、携帯電話機において「認証子」が作成され、この認証子が第２登録手段により登録される。また、この携帯電話機が「カード決済サイト」にアクセス可能となる。
【０００８】
その後スタッフが商品を販売等し、需要者がカードによる対価支払を希望する場合、スタッフにより携帯電話機がカード決済サイトにアクセス状態とされる。
また、スタッフにより携帯電話機にパスワード登録時と同一のチップツールが携帯電話機に接続され、さらに携帯電話機にパスワードが入力される。このとき、携帯電話機において作成される「認証子」が第２登録手段により登録されている場合にのみ、携帯電話機がカード情報入力可能となる。
【０００９】
そして、需要者からスタッフにクレジットカードが預けられ、スタッフによりこのカード情報が携帯電話機に入力されることで、需要者のカード支払決済が行われる。
【００１０】
従来のカード決済機器は、ネットワーク通信機能が備える必要があるため、高価となっていた。これに対し、本発明によれば、ネットワーク通信機能は携帯電話機に備わっており、各スタッフに配布される「チップツール」自身にネットワーク通信機能がついている必要はない分、従来機器よりも低廉とすることができる。従って、本発明によれば、従来の機器よりも低廉なツールを用い、カード決済処理を実行することができる。
【００１１】
スタッフが所属する所定組織としては、各スタッフに持たせるチップツールの低廉化により、スタッフの増員、及びスタッフへのチップツールの多量配布、ひいては販売（商業）規模の拡大が容易になるというメリットがある。
【００１２】
また「認証子」が登録済みであることが、スタッフがカード情報を携帯電話機に入力して需要者のカード決済処理を行うための条件とされている。この認証子は、携帯電話機の「電話番号」、チップツールの「固有番号」及びスタッフにより携帯電話機に入力される「パスワード」に基づき作成されている。従って、携帯電話機、チップツール、及びパスワードの全てが一致しなければ、その携帯電話機を通じたカード決済処理が否定される。
【００１３】
このため、第三者はチップツールのみならず、そのチップツールを用いた認証子の登録時と同一の「携帯電話機」及び「パスワード」を取得しなければカード決済処理を行うことができない。また、第三者が自己の携帯電話機に取得したチップツールを接続することで認証子の新規登録を試みても、携帯電話機への「会員コード」の入力が必要とされるので、この新規登録は防止され得る。
【００１４】
従って、チップツールがスタッフ以外の第三者により所有された上で、悪用される可能性を著しく低減することができる。
【００１５】
【発明の実施の形態】
本発明の決済処理システムの実施形態について図面を用いて説明する。
【００１６】
図１は本発明の一実施形態における決済処理システムの構成説明図であり、図２は本発明の決済処理システムによる初期登録の説明図であり、図３は本発明の決済処理システムによる決済処理の説明図である。
【００１７】
図１に示す決済処理システムは、商品の訪問販売員等のスタッフにより所有され、チップツール３０が接続される携帯電話機２０と、当該ネットワークを介して接続されたサーバ１０により構成されている。なお、図１によれば本システムが１台のサーバ１０により構成されているが、複数のサーバ（図示略）により構成されていてもよい。
【００１８】
決済処理システムは、第１登録ユニット（データベース）１１１、第２登録ユニット（データベース）１１２、第１処理ユニット１２１、第２処理ユニット１２２、第３処理ユニット１２３、第４処理ユニット１２４、及び第５処理ユニット１２５を備えている。
【００１９】
第１登録ユニット１１１は、販売会社等の組織からスタッフに対して付与される「会員コード」を登録する。
【００２０】
第１処理ユニット１２１は、チップツール３０が接続された携帯電話機２０とネットワークを介してデータを送受信することで、当該携帯電話機２０に「初期登録サイト」へのアクセスを可能とする。
【００２１】
第２処理ユニット１２２は、初期登録サイトにアクセスした携帯電話機２０から、スタッフにより携帯電話機２０に入力された「会員コード」をネットワークを介して受信する。その上で、第２処理ユニット１２２は、この会員コードが第１登録ユニット１１１により登録されている場合にのみ、その携帯電話機２０とネットワークを介してデータを送受信することで、当該携帯電話機２０へのパスワード入力を可能とする。
【００２２】
第２登録ユニット１１２は、携帯電話機２０に入力された「パスワード」、この携帯電話機２０の「電話番号」及びチップツール３０の「固有番号」に基づき、チップツール３０が接続された携帯電話機２０において作成された「認証子」をネットワーク経由で受信する。その上で、第２登録ユニット１１２はこの認証子を登録する。チップツール３０が接続されることで、携帯電話機２０に対して「認証子」を作成する機能等が付与される。
【００２３】
第３処理ユニット１２３は、第２登録ユニット１１２により登録された「認証子」に係る携帯電話機２０に「カード決済サイト」のＵＲＬアドレスを（電子メール等により）送信し、この携帯電話機２０に当該サイトへのアクセスを可能とする。
【００２４】
第４処理ユニット１２４は、「カード決済サイト」にアクセスした携帯電話機２０から、スタッフにより携帯電話機２０に入力されたパスワード、携帯電話機の電話番号、及びチップツールの固有番号に基づき、チップツール３０が接続された携帯電話機２０において作成された「認証子」をネットワーク経由で受信する。その上で第４処理ユニット１２４は、その認証子が第２登録ユニット１１２により登録されている場合にのみ、携帯電話機２０への「カード情報」の入力を可能とする。
【００２５】
第５処理ユニット１２５は、携帯電話機２０から、スタッフによりその携帯電話機２０に入力された「カード情報」をネットワーク経由で受信する。その上で、第５処理ユニット１２５は、そのカード情報に基づき、カード会社等の金融機関の端末（図示略）とのネットワーク通信を介し決済処理を実行する。
【００２６】
前記構成のシステムの機能について図２及び図３を用いて説明する。
【００２７】
まず「初期登録」について図２を用いて説明する。
【００２８】
まず、チップツール３０及び会員コードが、商品販売会社（所定組織）から予め付与されたスタッフにより、当該チップツール３０が携帯電話機２０に接続される（ｓ２．１）。
【００２９】
このとき第１処理ユニット１２１が第１処理を実行する（ｓ１．１）。具体的には、第１処理ユニット１２１が、チップツール３０により活性化された携帯電話機２０とデータを送受信する。これにより、携帯電話機２０が「初期登録サイト」にアクセスした状態となる（ｓ２．２）。
【００３０】
次にスタッフにより、携帯電話機２０に「ＨＬ３９５８７５５９８７０２ｓｄｆ‥」等の「会員コード」が入力される（ｓ２．３）。この会員コードは、前記のようにスタッフが販売会社から付与されたものである。
【００３１】
このとき、第２処理ユニット１２２が第２処理を実行する（ｓ１．２）。具体的には、第２処理ユニット１２２が携帯電話機２０から「会員コード」を受信し（矢印▲１▼）、この会員コードが第１登録ユニット１１１により登録されているか否かをチェックする。この上で、第２処理ユニット１２２が当該会員コードが第１登録ユニット１１１により登録されている場合にのみ、携帯電話機２０とのデータ通信により、スタッフによる当該携帯電話機２０への「パスワード」入力を可能とする（ｓ１．２）。
【００３２】
続いてスタッフにより携帯電話機２０に「ｋ２２３・・ｊｊ」等の「パスワード」や、スタッフの氏名等が入力される（ｓ２．４）。このとき、チップツール３０により活性化された携帯電話機２０により、当該携帯電話機２０の「０９００１０・・」等の「電話番号」、チップツール３０の「ｘｘ００１００８・・」等の「固有番号（製造番号）」及びスタッフにより携帯電話機に入力された「パスワード」に基づき、所定のアルゴリズムに従って「認証子」が作成される（ｓ２．５）。
【００３３】
このとき、第２登録ユニット１１２が携帯電話機２０から「認証子」を受信した上で（矢印▲２▼）、この認証子を登録する（ｓ１．３）。
【００３４】
また、第３処理ユニット１２３が第３処理を実行する（ｓ１．４）。具体的には、第３処理ユニット１２３が携帯電話機２０に対して「カード決済サイト」のＵＲＬが記載されたメールを携帯電話機２０に送信する（矢印▲３▼）。
【００３５】
以上で「初期登録」が完了する。
【００３６】
次に「決済処理」について図３を用いて説明する。
【００３７】
初期登録を済ませたスタッフが需要者の家庭を訪問し、商品を販売したり役務を提供し、需要者がカードによる対価支払を希望する場合、まずスタッフにより携帯電話機２０が「カード決済サイト」にアクセス状態とされる（ｓ２．６）。
また、スタッフにより携帯電話機２０にチップツール３０が携帯電話機２０に接続される（ｓ２．７）。なお、携帯電話機２０にチップツール３０が接続された後に（ｓ２．７参照）、携帯電話機２０が「カード決済サイト」にアクセス状態とされてもよい（ｓ２．６参照）。
【００３８】
さらに、スタッフにより携帯電話機２０にパスワードが入力され（ｓ２．８）、チップツール３０により活性化された携帯電話機２０により、当該携帯電話機２０の電話番号、チップツール３０の固有番号、及びパスワードに基づき、所定のアルゴリズムに従って「認証子」が作成される（ｓ２．９）。
【００３９】
このとき、第４処理ユニット１２４が第４処理を実行する（ｓ１．５）。具体的には第４処理ユニット１２４が携帯電話機２０から「認証子」を受信し（矢印▲４▼）、その上でこの認証子が第２登録ユニット１１２により登録されているか否かをチェックする。そして、第４処理ユニット１２４が当該認証子が登録されている場合にのみ、携帯電話機２０とデータを送受信することで、携帯電話機２０へのカード情報入力を可能とする。
【００４０】
そして、需要者からスタッフにクレジットカードが預けられ、スタッフによりこのカード情報や、スタッフが販売した商品の種類、数量、金額等が携帯電話機に入力される（ｓ２．１０）。
【００４１】
このとき、第５処理ユニット１２５が「第５処理」を実行する（ｓ１．６）。
具体的には、第５処理ユニット１２５が携帯電話機１２５から「カード情報」や商品の種類、数量、金額等の情報を受信する（矢印▲５▼）。そして、第５処理ユニット１２５がこのカード情報等をクレジットカード会社等の金融機関の端末（図示略）に送信等することで、需要者のカード支払決済が行われる。
【００４２】
以上で「決済処理」が完了する。
【００４３】
本発明によれば、ネットワーク通信機能は携帯電話機２０に備わっており、各スタッフに配布されるチップツール３０にネットワーク通信機能がついている必要はない分、従来機器よりも低廉とすることができる。従って、本発明によれば、従来の機器よりも低廉なチップツール３０を用い、カード決済処理を実行することができる。
【００４４】
スタッフが所属する所定組織としては、各スタッフに持たせるチップツール３０の低廉化により、スタッフの増員、及びスタッフへのチップツール３０の多量配布、ひいては販売（商業）規模の拡大が容易になるというメリットがある。
【００４５】
また「認証子」が登録済みであることが、スタッフがカード情報等を携帯電話機２０に入力して需要者のカード決済処理を行うための条件とされている（図３ｓ１．５参照）。この認証子は、携帯電話機２０「の「電話番号」、チップツール３０の「固有番号」及びスタッフにより携帯電話機２０に入力される「パスワード」に基づき、所定のアルゴリズムに従って作成されている。従って、携帯電話機２０、チップツール３０、及びパスワードの全てが一致しなければ、その携帯電話機２０を通じたカード決済処理が否定される。
【００４６】
このため、第三者はチップツール３０のみならず、そのチップツール３０を用いた認証子の登録時と同一の携帯電話機２０、及び「パスワード」を取得しなければカード決済処理を行うことができない。また、第三者が自己の携帯電話機２０に取得したチップツール３０を接続することで認証子の新規登録を試みても（図２参照）、携帯電話機２０への「会員コード」の入力が必要とされるので（図２ｓ２．３）、この新規登録は防止され得る。
【００４７】
従って、チップツール３０がスタッフ以外の第三者により所有された上で、悪用される可能性を著しく低減することができる。
【図面の簡単な説明】
【図１】本発明の一実施形態における決済処理システムの構成説明図
【図２】本発明の決済処理システムによる初期登録の説明図
【図３】本発明の決済処理システムによる決済処理の説明図
【符号の説明】
１０‥サーバ、１１１‥第１登録ユニット、１１２‥第２登録ユニット、１２１‥第１処理ユニット、１２２‥第２処理ユニット、１２３‥第３処理ユニット、１２４‥第４処理ユニット、１２５‥第５処理ユニット、２０‥携帯電話機、３０‥チップツール
【図１】
2004206284.tif 000003
【図２】
2004206284.tif 000004
【図３】
2004206284.tif 000005